(57)【要約】【課題】  梱包箱に隙間のない状態で収納された物体を取り出す際に、前記物体が重い場合に、両手を必要とし、前記梱包箱を手で押さえることができないので物体を引き上げるとそれにつれて梱包箱が一緒に上昇し、梱包箱からの物体の取り出しが困難な場合が発生する。したがって、本願発明の目的は、物体と梱包箱との間に隙間がなくても、物体の取り出しが容易な梱包箱を提供することにある。【解決手段】  梱包箱の側面に少なくとも１個以上の外側に開口可能な舌片部を設けたことを特徴とする発明である。【選択図】      図１
2005239222.tif 000002
【特許請求の範囲】
【請求項１】
梱包箱の側面に少なくとも１個以上の外側に開口可能な舌片部を設けたことを特徴とする梱包箱。
【発明の詳細な説明】
【技術分野】
【０００１】
梱包箱に関する。
【背景技術】
【０００２】
多くの商品は、輸送あるいは保管時に傷が付いたり汚れたりするのを防止するため、出荷時に梱包箱に収納されることは周知である。これら梱包箱に収納された商品は、店頭に陳列するためとか顧客が購入後、使用時にといった種々の理由で梱包箱から取り出される。前記梱包箱は、直方体、立方体あるいは円筒形といった種々の形状を有している。また、それに収納される商品（物体、以降、物体と記載）も種々の形状を有しているが、物体によっては梱包箱と相似形状を有しており、梱包箱に収納した際に、両者の間に隙間がない場合がある。
【０００３】
特許文献１に梱包箱に関する提案がなされている。
【０００４】
【特許文献１】実開昭５９−２８９６１号
【発明の開示】
【発明が解決しようとする課題】
【０００５】
物体が梱包箱と隙間のない状態で収納されていると共に、重量が重いと片手で取り出せなく、両手を用いなければならない場合、前記梱包箱が物体と一緒に上昇し、取り出し難い場合が生じる。
【０００６】
その一例として自動車用鉛蓄電池があげられる。周知のように、前記自動車用鉛蓄電池は直方体の形状を有しており、直方体の梱包箱に収納され、通常、蓄電池と梱包箱との間にほとんど隙間がない状態である。しかも鉛蓄電池は周知のように重く、機種によっては片手で取り出すことは困難で、上述したような状態が発生することがある。
【０００７】
図２は、その一例を示す要部模式図で、１は自動車用鉛蓄電池、２は前記鉛蓄電池に取り付けられた帯状把手、３は梱包箱をそれぞれ示す。
【０００８】
図２に示すように、鉛蓄電池１には、取り出し易いように帯状把手２が取り付けられていることが多く、ＪＩＳ  Ｄ  ５３０１に規定されている２８Ａ１９Ｌ型自動車用鉛蓄電池のように約７．５Ｋｇと比較的重量の軽いものであれば、左手を梱包箱３に添え、右手で帯状把手２を掴み、蓄電池１を取り出すことも可能である。しかし、６５Ｄ２６Ｌ型のように重量が約１７Ｋｇと重いものでは、片手で帯状把手２を掴み、引き上げることが困難である。しかし、両手を使えば、梱包箱が一緒に上昇し、蓄電池の取り出しが困難な問題が発生する。
【０００９】
したがって、本願発明の目的は、物体が梱包箱と隙間のない状態で収納されていても、取り出しの容易な梱包箱を提供することにある。
【課題を解決するための手段】
【００１０】
上記課題を解決するための手段として、請求項１による発明は、梱包箱の側面に少なくとも１個以上の外側に開口可能な舌片部を設けたこと特徴とするものである。
【００１１】
外側に開口可能な舌片部とは、通常の状態では開口せず、前記舌片部に力を加えると梱包箱の外側に開口する状態をいい、通常、断続的な切込み、例えば、ミシン目を設けたものが広く採用されている。
【００１２】
また、舌片部とは、一辺が固定され、それを起点に開閉可能な形状のものをいう。
【００１３】
したがって、前記舌片部を梱包箱の外側に開口し、地面に倒してその部分に足を乗せれば、梱包箱に収納されている物体を引き上げても、舌片部が梱包箱と一体になっているので、梱包箱が物体と一緒に上昇することがなく、容易に取り出すことができる。
【発明の効果】
【００１４】
上述したように、物体が梱包箱との間に隙間がない状態で収納されていても、物体を取り出す際に、前記梱包箱の側面に設けた舌片部を外側に開口すると共に地面に倒し、それに足を乗せることによって梱包箱が固定されるので、物体を持ち上げても梱包箱が物体と一緒に上昇することなく、商品の脱梱包といった作業がスムーズに行え、その工業的効果が極めて大である。
【発明を実施するための最良の形態】
【００１５】
本願発明を実施するための最良の形態は、梱包箱の側面に少なくとも１個以上の外側に開口可能な舌片部を設けた構造にすることである。
【００１６】
舌片部の形状は、文字通り舌片形状がまずあげられるが、この形状にこだわるものでなく、長方形、正方形、あるいは半円形状でも同様の効果が得られる。また、その大きさは、梱包箱の大きさにあわせて適宜決定すればよい設計事項である。
【００１７】
梱包箱の側面に設ける舌片部の個数は１個でも効果は得られるが、側面の相対する位置に一対設け、両足で押さえるのがより効果的である。また、梱包箱の大きさによっては二対設けても良い。
【００１８】
梱包箱に設けられるミシン目の切込みの間隔あるいは切込みの長さ等は、梱包箱の材質あるいは厚みによって適宜決定できる設計的事項である。
【００１９】
また、梱包箱の材質や厚みによっては側面に設けられたミシン目の切込みを破って舌片部を開口するのが容易でない場合には、実施例で後述するように、ミシン目の切込みの間隔あるいは切込みの長さを変えるとか、１辺に連続の切込みを設けるとか、舌片部の上部に指掛け用の切欠部あるいは把手機能を有する第２の舌片部を設けるといった、開口を容易にする措置を施すことができる。
【実施例】
【００２０】
本発明を実施例に基づき詳細に説明する。
（実施例１）
図１（ａ）、（ｂ）および（ｃ）は実施例１の梱包箱およびそれに収納された鉛蓄電池を示す模式図で、直方体からなる梱包箱の両長側面の下縁を始点および終点にしたミシン目からなる切込みによって形成された長方形の舌片部をそれぞれ設けたもので、１は自動車用鉛蓄電池、２は前記鉛蓄電池に取り付けられた帯状把手、３は梱包箱、４１および４２は両長側面に設けた長方形の舌片部をそれぞれ示す。
【００２１】
図１（ａ）では、梱包箱３の一長側面に形成された舌片部４１のみが図示されている。図１（ｂ）は、前記舌片部４１および４２を矢印（塗りつぶしなし）方向、すなわち、梱包箱の外側に開口すると共に、それらに左右の足を乗せ（図１（ｂ）では足は図示せず）、自動車用鉛蓄電池１に取り付けられ帯状把手２をもって、矢印（塗りつぶし）方向に持ち上げようとする状態を示す。図１（ｃ）は、帯状把手２をもって自動車用鉛蓄電池１を梱包箱３から取り出した状態を示す。
【００２２】
以上ように、梱包箱の側面に外側に開口可能な舌片部を設けることによって鉛蓄電池が梱包箱から容易に取り出すことができる。
【００２３】
図３は、実施例２の梱包箱を示す要部模式図で、梱包箱３の相対する長側面にミシン目からなる切込みにより形成された一対の半円形状の舌片部４１および４２（図３では４２は図示せず）を設けた例を示す。各構成部材は図１と同じ番号を付記する。実施例１と同様の効果が得られることは容易に理解できる。
【００２４】
図４は実施例３の梱包箱を示す要部模式図で、直方体の梱包箱３の相対する短側面にミシン目からなる切込みにより形成された一対の長方形の舌片部４１および４２（図４では４２は図示せず）を設けた例を示す。各構成部材は図１と同じ番号を付記する。これに関しても同じ効果が得られるのはいうまでもない。
【００２５】
図５は実施例４の梱包箱を示す要部模式図で、円筒形状の梱包箱３の側面の相対する位置にミシン目からなる切込みにより形成された一対の長方形の舌片部４１および４２（図５では４２は図示せず）を設けたもので、同様の効果が得られるのはいうまでもない。
【００２６】
図６は実施例５の梱包箱を示す要部模式図で、梱包箱３の相対する長側面にミシン目からなる切込みにより形成された長方形の舌片部４１および４２（図６では４２は図示せず）の上部側縁に沿って半円形状の切欠部５を設けたもので、前記切欠部５に指をかけて地面方向に引張れば、舌片部４１あるいは４２の梱包箱の外側への開口が容易になることが理解できる。他の構成部材は図１と同じ番号を付記する。
【００２７】
ここでは、切欠部５には半円形状が採用されているが、この形状にこだわるものではなく、長方形、正方形およびその他、指が掛けられる形状であれば良い。
【００２８】
図７（ａ）および（ｂ）は実施例６の梱包箱を模式的に示す正面図ならびに斜視図で、実施例５と同様、舌片部の開口を容易にする措置を施したものである。図において、３は梱包箱、４１および４２（図７では４２は図示せず）は梱包箱の側面にミシン目からなる切込みにより形成された一対の長方形の舌片部、６は前記舌片部４１および４２の上部側縁に形成された長方形の第２の舌片部で、地面と垂直の両側縁と地面と平行の上部側縁には連続の切込みが施され、地面と平行の下部側縁には切込みが施されていない形状である。
【００２９】
図７（ａ）および（ｂ）に示すように、第２の舌片部６の３側縁には連続の切込みが施されているので容易に開口することができ、しかも、下部側縁には切込みがなく舌片部４１あるいは４２と一体になって固定されているので、把手の機能を有し、前記第２の舌片部６を矢印の方向に引っ張ると、ミシン目が施されてある舌片部４１あるいは４２が破れ、容易に梱包箱の外側に開口することが理解できる。
【００３０】
この第２の舌片部も実施例５と同様、長方形にこだわるものでなく、半円、正方形あるいは他の形状でも同じ効果が得られる。
【００３１】
図８は、実施例７を示す梱包箱の要部模式図で実施例５および実施例６と同じく、舌片部の開口を容易にする措置が施されたもので、梱包箱３の長側面に設けた長方形の舌片部４１および４２（図８では４２は図示せず）において、地面に垂直の側縁ａ１およびａ２にはミシン目を施し、地面に平行の上部側縁ｂには連続の切込みを施した形状である。このような形状であれば、梱包箱３の強度低下を最小限に抑え、しかも、連続の切込みｂにより舌片部４１および４２の梱包箱の外側への開口が容易になることが理解できる。
【００３２】
実施例では、梱包箱の形状は直方体および円筒形状について説明したが、側面に外側に開口可能な舌片部を設けることができればよく、これらの形状に限定されるものでない。
【００３３】
また、舌片部の形状および切込み方法、あるいは舌片部の開口をし易くする方法についても実施例に限定されるものでなく、適宜決定できる設計事項である。
【００３４】
さらに、実施例では、舌片部は梱包箱の側面の相対する位置に一対形成した例についてのみ説明したが、梱包箱が大きい場合には、足が及ぶ範囲であれば二対形成しても良く、梱包箱の大きさによって適宜決定できる設計的事項である。
【００３５】
本願発明の実施例では、梱包箱に収納された鉛蓄電池について説明したが、本願発明は鉛蓄電池に限定されるものでなく、梱包箱と隙間がない状態で物体が収納されている梱包箱の全てに本願発明は効果を有していることはいうまでもない。
【図面の簡単な説明】
【００３６】
【図１】本発明による実施例１を示す要部模式図（ａ）、（ｂ）および（ｃ）。
【図２】自動車用鉛蓄電池を収納した従来の梱包箱を示す要部模式図。
【図３】本発明による実施例２の梱包箱を示す要部模式図。
【図４】本発明による実施例３の梱包箱を示す要部模式図。
【図５】本発明による実施例４の梱包箱を示す要部模式図。
【図６】本発明による実施例５の梱包箱を示す要部模式図。
【図７】本発明による実施例６の梱包箱を示す要部模式図（ａ）および（ｂ）。
【図８】本発明による実施例７の梱包箱を示す要部模式図。
【符号の説明】
【００３７】
１  自動車用鉛蓄電池
２  帯状把手
３  梱包箱
４１  舌片部１
４２  舌片部２
５  切欠部
６  第２の舌片部
【図１】
2005239222.tif 000003
【図２】
2005239222.tif 000004
【図３】
2005239222.tif 000005
【図４】
2005239222.tif 000006
【図５】
2005239222.tif 000007
【図６】
2005239222.tif 000008
【図７】
2005239222.tif 000009
【図８】
2005239222.tif 000010